(57)【要約】  【課題】電子透かし入り絵柄の変更を短期間のうちに行うことができるようにする。  【解決手段】外装フィルム付たばこパッケージ１は，たばこを収納する箱体10と，上記箱体10を包装する透明の外装フィルム20とを備えている。上記外装フィルム20に電子透かし入り絵柄21Ｂが印刷されている。電子透かし入り絵柄21Ｂから抽出される透かしＩＤに基づいて，パッケージ１に収納されているたばこの製造年月日，製造工場等を特定することができる。【選択図】図１
2019102955.tif 000002
【特許請求の範囲】
【請求項１】
商品を収納するパッケージと，上記パッケージを包装する透明または半透明の外装フィルムとを備え，上記外装フィルムに電子透かし入り絵柄が印刷されている，
外装フィルム付パッケージ。
【請求項２】
上記電子透かしが商品の製造期間を特定するデータを含む，
請求項１に記載の外装フィルム付パッケージ。
【請求項３】
上記電子透かしが商品の製造工場を特定するデータを含む，
請求項１または２に記載の外装フィルム付パッケージ。
【請求項４】
上記外装フィルムの表面に電子透かし入り絵柄が印刷されている，
請求項１から３のいずれか一項に記載の外装フィルム付パッケージ。
【請求項５】
上記外装フィルムの裏面に電子透かし入り絵柄が印刷されている，
請求項１から４のいずれか一項に記載の外装フィルム付パッケージ。
【請求項６】
上記外装フィルムの複数の領域のそれぞれに電子透かし入り絵柄が印刷されている，
請求項１から５のいずれか一項に記載の外装フィルム付パッケージ。
【請求項７】
商品を収納するパッケージと，上記パッケージを包装する透明または半透明の外装フィルムとを備え，上記外装フィルムに電子透かし入り絵柄が印刷されている外装フィルム付パッケージから，上記電子透かし入り絵柄を撮像する撮像手段，
上記撮像手段によって撮像された電子透かし入り絵柄から透かし情報を抽出する抽出手段，
上記抽出手段によって抽出された透かし情報をサーバ・コンピュータに送信する送信手段，
上記透かし情報を受信したサーバ・コンピュータから送信される，上記透かし情報に対応する上記商品に関する情報を受信する受信手段，および
上記受信手段によって受信された商品に関する情報を表示する表示手段を備えている，
端末装置。
【発明の詳細な説明】
【技術分野】
【０００１】
この発明は外装フィルム付パッケージおよび商品情報を確認するための端末装置に関する。
【背景技術】
【０００２】
人気ブランド品から医療・医薬品，工業部品，たばこ等の趣向品にいたるまで，特に海外において偽造品が市場に出回っており，製造メーカはその対策に苦慮している。
【０００３】
商品または商品パッケージにホログラムシールを貼ることで模造品対策が行われている。しかしながら，ホログラムシールは単価が高く，また最近ではホログラムまで偽造されることがあり，さらなる対策が求められている。
【０００４】
特許文献１は，紙幣の表面のインクの分布をわずかに変化させることによってディジタルデータを紙幣にマーキングするものを開示する（電子透かし）。紙幣に印刷される絵柄に埋め込まれた電子透かしを用いて，正規紙幣または偽造紙幣であることが判別される。
【０００５】
電子透かしの有無によって正規紙幣と偽造紙幣を区別することができる。しかしながら，電子透かし入りの絵柄は複写可能であり，正規紙幣と全く同一の電子透かし入りの絵柄を持つ偽造紙幣の製造は理論的には可能である。その場合正規紙幣であるか偽造紙幣であるかを区別するのは困難である。
【先行技術文献】
【特許文献】
【０００６】
【特許文献１】特表２００２−５１１６８５号公報
【発明の開示】
【０００７】
この発明は，電子透かし入りの絵柄の変更を短期間のうちに行うことができるようにし，これによって偽造品の存在を早期に発見できるようにすることを目的とする。
【０００８】
この発明はまた，商品の製造期間等を容易に確認することができ，これによって偽造品または偽造品の可能性を簡便に確認することができるようにすることを目的とする。
【０００９】
この発明による外装フィルム付パッケージは，商品を収納するパッケージと，上記パッケージを包装する透明または半透明の外装フィルムとを備え，上記外装フィルムに電子透かし入り絵柄が印刷されていることを特徴とする。
【００１０】
この発明による外装フィルム付パッケージは，パッケージを包装する外装フィルムに絵柄が印刷されており，外装フィルムに印刷された絵柄に電子透かしが埋め込まれている（組み込まれている）（電子透かしが埋め込まれた印刷絵柄を「電子透かし入り絵柄」と呼ぶ）。商品等を収納するパッケージ自体の絵柄は代えずに共通するパッケージを利用しつつ，外装フィルムについては様々な電子透かし入り絵柄が印刷されたものを採用することができる。
【００１１】
オリジナル絵柄を構成する画素を利用する処理，特定周波数を利用する処理など，任意のアルゴリズムを用いて，オリジナル絵柄に任意の情報を埋め込むことができる。同一のオリジナル絵柄に相互に異なる情報を表す電子透かしを埋め込んだ電子透かし入り絵柄のそれぞれは相互に異なる絵柄になるものの，それを人が区別するのは現実的には不可能であり，いずれも同一絵柄（見た目に区別のつかない電子透かし入り絵柄）として認識される。
【００１２】
外装フィルムに印刷する電子透かし入り絵柄を切り替えることによって，電子透かし入り絵柄（オリジナル絵柄に埋め込まれる情報）を簡単に変更することができる。電子透かし入り絵柄は商品を収納するパッケージを包装する外装フィルムに印刷されるので，電子透かし入り絵柄の変更にあたって商品を収納するパッケージを取り替える必要はない。パッケージに印刷された絵柄に電子透かしを埋め込む場合に比べて，電子透かし入りの絵柄の変更を短期間のうちに行うことができる。
【００１３】
電子透かし入り絵柄に埋め込む情報として，たとえばパッケージに収納されている商品の製造期間（たとえば製造年月，製造年月日）を特定するデータを含ませておく。特定の製造期間またはかなり古い時期の製造期間の商品が市場に大量に流通していることが分かれば，偽造品が市場に流通している可能性が高いことが分かる。また，電子透かし入り絵柄に埋め込む情報としてパッケージに収納されている商品の製造工場を特定するデータを含ませておいてもよい。特定の製造工場において製造された商品が大量に流通している，たとえば特定製造工場における製造数を超える数の商品が流通していることが分かれば，または特定工場製の商品が流通していない国や地域に特定工場製のものであるとする情報を含む電子透かし入り絵柄の商品が流通していることが分かれば，それも偽造品である可能性が高い。電子透かし入り絵柄の複製自体は完全に防止することはできないとしても，偽造品が存在している可能性や国や地域の特定に十分に役立つ。
【００１４】
電子透かし入り絵柄はパッケージに取り付ける前の外装フィルムに印刷してもよく（以下，先印刷という），パッケージを既に包装している状態の外装フィルムに印刷してもよい（以下，後印刷という）。
【００１５】
先印刷の場合には外装フィルムの表面（外側）に電子透かし入り絵柄を印刷することも，外装フィルムの裏面（内側）に電子透かし入り絵柄を印刷することもできる。後印刷の場合には外装フィルムの表面（外側）に電子透かし入り絵柄が印刷されることになる。
【００１６】
他の実施態様では，上記外装フィルムの複数の領域のそれぞれに電子透かし入り絵柄が印刷される。模造品の製造を効果的に抑制することができる。
【００１７】
この発明による電子透かし入り絵柄が印刷された外装フィルム付パッケージは，たとえば，たばこパッケージに用いることができる。
【００１８】
この発明は，上述した外装フィルム付パッケージを構成する外装フィルムに印刷された電子透かし入り絵柄を利用して商品情報を確認するシステム（偽造品かどうかを確認するシステム）を構成する端末装置も提供する。この発明による端末装置は，商品を収納するパッケージと，上記パッケージを包装する透明または半透明の外装フィルムとを備え，上記外装フィルムに電子透かし入り絵柄が印刷されている外装フィルム付パッケージから，上記電子透かし入り絵柄を撮像する撮像手段，上記撮像手段によって撮像された電子透かし入り絵柄から透かし情報を抽出する抽出手段，上記抽出手段によって抽出された透かし情報をサーバ・コンピュータに送信する送信手段，上記透かし情報を受信したサーバ・コンピュータから送信される，上記透かし情報に対応する上記商品に関する情報を受信する受信手段，および上記受信手段によって受信された商品に関する情報を表示する表示手段を備えている。透かし情報が抽出できなければ，その外装フィルム付パッケージに収納されている商品は偽造品である可能性がある。また，表示手段に表示される商品に関する情報，たとえば上述した商品の製造期間や製造工場に基づいて，上述したように偽造品が存在している可能性や偽造品の流通国または地域を簡便に特定することができる。
【図面の簡単な説明】
【００１９】
【図１】外装フィルム付たばこパッケージの斜視図である。
【図２】開封後の外装フィルム付たばこパッケージの斜視図である。
【図３】外装フィルム付たばこパッケージを構成する外装フィルムのみを示す斜視図である。
【図４】電子透かしが埋め込まれたフィルム絵柄の作成工程を示すブロック図である。
【図５】商品情報確認システムを示すブロック図である。
【図６】商品情報データベースを示す。
【図７】携帯端末装置とサーバ・コンピュータの処理を示すフローチャートである。
【図８】外装フィルムにおける印刷領域を示す。
【実施例】
【００２０】
図１は電子透かし入り絵柄が印刷された外装フィルム付たばこパッケージの斜視図である。図２は外装フィルムの開封後の外装フィルム付たばこパッケージの斜視図である。図３は図１に示す外装フィルム付たばこパッケージからたばこパッケージの図示を省略した，外装フィルムのみを示す斜視図である。
【００２１】
外装フィルム付たばこパッケージ１は，箱体（たばこパッケージ）10と電子透かし入りの絵柄21Ｂが印刷された外装フィルム20とを備えている。
【００２２】
箱体10は直方体状のもので，図２を参照して，ヒンジ15においてつながる収納体13および蓋体14を備えている。ヒンジ15を軸にして蓋体14を上方に持ち上げることで蓋体14が開かれ，収納体13の内部（たとえば，たばこ（図示略））が露出する。
【００２３】
箱体10は，その全範囲（全周囲）が外装フィルム20によって覆われている。外装フィルム20はたとえばポリプロピレン，ポリエチレンテレフタレート等を素材とする透明のもので，外装フィルム20を通じて箱体10の表面を見ることができる。外装フィルム20は半透明のものであってもよい。
【００２４】
外装フィルム20の一部に，帯状の開封テープ（テアテープ）４が箱体10を横向きに一周するように設けられている。帯状の開封テープ４を引っ張ることで外装フィルム20は開封テープ４に沿って破け，開封テープ４の上側範囲と下側範囲とに分離される。開封テープ４は収納体13と蓋体14の境界付近に設けられる。開封テープ４の上側範囲の外装フィルム20は箱体10から取り除かれて一般には廃棄される。開封テープ４の下側範囲の外装フィルム20は廃棄されずに箱体10に被せられたまま残される（図２）。
【００２５】
箱体10の表面（外面）には，たばこの銘柄名（商品名）11，注意書12，その他の絵柄（箱体10の表面色，文字を含む）が印刷されている。銘柄名11，注意書12，その他の絵柄は外装フィルム20を通してよく見える。
【００２６】
外装フィルム20にも絵柄（フィルム絵柄）21Ｂが印刷されており，フィルム絵柄21Ｂが印刷されている外装フィルム20の箇所（範囲）は透明ではない。図１では，絵柄のない外装フィルム20によって覆われている範囲（箱体10が見える範囲）をグレーに着色して示し，絵柄が印刷された外装フィルム20の範囲（箱体10が見えない範囲）を着色せずに示している。
【００２７】
フィルム絵柄21Ｂは，外装フィルム20の表面（外面）に印刷することもできるし，外装フィルム20の裏面（内面）に印刷することもできる。箱体10を包装する前段階の外装フィルム20にフィルム絵柄21Ｂを印刷してもよく（先印刷），既に箱体10を包装している外装フィルム20にフィルム絵柄21Ｂを印刷することもできる（後印刷）。外装フィルム20への絵柄の印刷にはたとえばＵＶ（紫外線硬化）インクを用いることができる。絵柄を印刷する範囲の外装フィルム20に下地処理をした上でインクジェットによって絵柄を印刷してもよい。先印刷であれば，外装フィルム20の表面および裏面のいずれにも，両方にも，フィルム絵柄21Ｂを印刷することができる。後印刷の場合には外装フィルム20の表面にフィルム絵柄21Ｂが印刷されることになる。フィルム絵柄21Ｂは外装フィルム20の任意の位置（範囲）に印刷することができる。たとえば箱体10に印刷される銘柄名11および注意書12を隠さない位置にフィルム絵柄21Ｂは印刷される。
【００２８】
図４は外装フィルム20に印刷されるフィルム絵柄21Ｂの作成工程を示している。
【００２９】
外装フィルム20に印刷されるフィルム絵柄21Ｂは，オリジナルのフィルム絵柄21Ａに透かしＩＤ40が埋め込まれた電子透かし入りの絵柄である。透かしＩＤ40の詳細は後述する。図４では，オリジナルのフィルム絵柄21Ａと透かしＩＤ40が埋め込まれたフィルム絵柄21Ｂとを区別するために，透かしＩＤ40が埋め込まれたフィルム絵柄21Ｂにハッチングを示している。もっとも，オリジナルのフィルム絵柄21Ａと透かしＩＤ40が埋め込まれたフィルム絵柄21Ｂとは見た目にほとんど違いはなく，肉眼では区別することができない。
【００３０】
埋込装置30によってオリジナルのフィルム絵柄21Ａに透かしＩＤ40を埋め込むことによって電子透かし入りのフィルム絵柄21Ｂは作成される。埋込装置30における透かしＩＤ40の埋込みアルゴリズムには，画素（たとえばその輝度値）を利用するものや周波数領域を利用するものなど，任意の既知のアルゴリズムを採用することができる。フィルム絵柄21Ａの地模様や文字（フォント）に透かしＩＤ40を埋め込んでもよい。互いに異なる透かしＩＤ40をオリジナルのフィルム絵柄21Ａに埋め込むことで作成されるフィルム絵柄21Ｂは互いい異なる絵柄となるものの，それらについて見た目にほとんど違いはなく，肉眼では区別することはできない。
【００３１】
図５は商品情報確認システム（偽造品確認システム）の全体構成を示すブロック図である。
【００３２】
商品情報確認システムは，ネットワーク51に接続される携帯端末装置（たとえばスマートフォン）52と，サーバ・コンピュータ53とを備えている。携帯端末装置52はＣＰＵ，入力装置，表示装置，通信装置（送受信装置），カメラおよび記憶装置を備え，記憶装置に携帯端末装置52の動作に必要なプログラムおよびデータが記憶されている。サーバ・コンピュータ53はＣＰＵ，通信装置（送受信装置）および記憶装置を備え，記憶装置にサーバ・コンピュータ53の動作に必要なプログラムおよびデータが記憶されている。サーバ・コンピュータ53の記憶装置には，以下に説明する商品情報データベース54も記憶されている。
【００３３】
図６は商品情報データベース54に登録されるデータを示している。
【００３４】
商品情報データベース54には，上述した透かしＩＤ40と，透かしＩＤ40に関連付けられて登録された商品名，製造日，製造工場，その他（たとえば製造工場内の製造ライン，商品出荷日，商品出荷先（企業名，国名など））のデータが記憶されている。以下，透かしＩＤ40に関連付けられて登録されているデータを，包括して「商品情報」と呼ぶ。
【００３５】
透かしＩＤ40は，分かりやすくするために，ここでは４桁の数字を表すものとする。商品（商品名），製造日，製造工場などが異なれば，それに応じてユニークな透かしＩＤ40が採番される。
【００３６】
商品情報データベース54に登録される透かしＩＤ40が埋め込まれたフィルム絵柄21Ｂが印刷された外装フィルム20によって包装されたパッケージ１が製造工場から出荷される。箱体10の印刷絵柄11，12は変更する必要がなく，外装フィルム20に様々な透かしＩＤ40が埋め込まれたフィルム絵柄21Ｂを印刷すればよいので，フィルム絵柄21Ｂが変更されたパッケージ１を短期間のうちに出荷することができる。
【００３７】
図７は商品情報確認システムを構成する携帯端末装置52とサーバ・コンピュータ53の処理の流れを示すフローチャートである。
【００３８】
携帯端末装置52の記憶装置には，携帯端末装置52が備えるカメラによって撮像されるフィルム絵柄21Ｂから透かしＩＤ40を抽出するためのアプリケーション・プログラム（透かしＩＤ抽出アプリ）が記憶されている。透かしＩＤ抽出アプリを起動し，携帯端末装置52のカメラを用いてフィルム絵柄21Ｂを撮像すると，透かしＩＤ抽出アプリによってフィルム絵柄21Ｂに埋め込まれている透かしＩＤ40が抽出される。抽出された透かしＩＤ40を表すデータは，ネットワーク51を通じてサーバ・コンピュータ53に送信される（ステップ61，62）。
【００３９】
透かしＩＤ40を受信したサーバ・コンピュータ53は，受信した透かしＩＤ40によって特定される商品情報を商品情報データベース54（図６）から検索する（ステップ64）。検索によって見つかった商品情報（商品名，製造日，製造工場など）が，サーバ・コンピュータ53から携帯端末装置52に送信される（ステップ65）。
【００４０】
携帯端末装置52の表示画面に，サーバ・コンピュータ53から送信された商品情報が表示される（ステップ63）。これによって，携帯端末装置52を用いて撮像したフィルム絵柄21Ｂが印刷されている外装フィルム20を備える外装フィルム付たばこパッケージ１についての商品情報を確認することができる。すなわち，外装フィルム付たばこパッケージ１に収納されているたばこが，たとえば，いつ，どこの工場で製造されたものであるかを知ることができる。
【００４１】
透かしＩＤ40を抽出することができない場合，その外装フィルム付たばこパッケージ１に収納されているたばこは偽造品である可能性がある。透かしＩＤ40の有無（透かしＩＤ40の抽出の可否）に基づいて正規品または偽造品を確認することができる。
【００４２】
外装フィルム20に印刷されているフィルム絵柄21Ｂを含めて精巧に正規品が偽造されたとすると，偽造品であっても携帯端末装置52の表示画面には商品情報が表示されることになる。しかしながら，偽造品であれば，製造日がかなり古い日付である可能性が高く，したがって製造日を手掛かりにして偽造品であることを突き止めることができる。また，特定工場製のたばこが大量に流通している場合や特定工場製のたばこが流通していない国や地域において特定工場製のたばこが流通している場合も，偽造品が流通している可能性が高いことを把握することができる。電子透かし入りのフィルム絵柄21Ｂは，偽造品が存在している可能性の把握や偽造品の流通国または流通地域を簡便に特定するのに役立つ。
【００４３】
図８はフィルム絵柄21Ｂを印刷可能な外装フィルム20上の複数の領域Ａ〜Ｃの一例を示している。領域Ａ〜Ｃに印刷するフィルム絵柄は互いに異ならせることができ，さらに領域Ａ〜Ｃのそれぞれのフィルム絵柄に埋め込む情報も互いに異ならせることができる。たとえば，領域Ａに印刷される電子透かし入りフィルム絵柄と，領域Ｂに印刷される電子透かし入り絵柄の両方を正規品の判断に用いるようにしてもよい。
【００４４】
上述した実施例では，ボックス・タイプの箱体10を備えるたばこパッケージを例示したが，たばこパッケージはソフト・タイプでもよく，ロング・タイプでもよいのは言うまでもない。もちろん収納される商品はたばこに限られないのも言うまでもない。
【００４５】
また上述した実施例では，箱体10の全体を包装する外装フィルム20に透かしＩＤ40が埋め込まれたフィルム絵柄21Ｂを印刷しているが，外装フィルム20上にさらに帯状の別の透明のフィルム（胴巻きフィルム）を巻き付け，この胴巻きフィルムに透かしＩＤ40が埋め込まれたフィルム絵柄21Ｂを印刷することもできる（胴巻きフィルムも外装フィルムの一態様と考えることができる）。
【符号の説明】
【００４６】
１  外装フィルム付たばこパッケージ
４  開封テープ
10  箱体
11，12  箱体絵柄
20  外装フィルム
21Ａ  オリジナルのフィルム絵柄
21Ｂ  透かしＩＤが埋め込まれたフィルム絵柄
40  透かしＩＤ（透かし情報）
52  携帯端末装置
53  サーバ・コンピュータ
【図１】
2019102955.tif 000003
【図２】
2019102955.tif 000004
【図３】
2019102955.tif 000005
【図４】
2019102955.tif 000006
【図５】
2019102955.tif 000007
【図６】
2019102955.tif 000008
【図７】
2019102955.tif 000009
【図８】
2019102955.tif 000010